(57)【要約】【課題】パッキンを具備した密閉容器蓋を提供すること。【解決手段】飲料、食品などを入れて保管することができ、上端部で密閉蓋と締結することで密閉力を提供するように、螺旋状に突出する内側締結部材を具備した密閉容器、および密閉容器と締結され、所定の密閉力を提供し、内側締結部材と締結するように外周面で螺旋状に突出する外側締結部材と、密閉容器の上端部に密着して密閉力を提供するパッキンと、外側締結部材と一定間隔に構成され、パッキンが分離しないように支持の役割を果たす離脱防止部材からなる密閉蓋とを備える。【選択図】図１
2017043412.tif 000002
【特許請求の範囲】
【請求項１】
飲料、食品などを入れて保管することができ、上端部で密閉蓋と締結することで密閉力を提供するように、螺旋状に突出する内側締結部材を具備した密閉容器と、
前記密閉容器と締結され、所定の密閉力を提供し、前記内側締結部材と締結するように外周面で螺旋状に突出する外側締結部材と、前記密閉容器の上端部に密着して密閉力を提供するパッキンと、前記外側締結部材と一定間隔に構成され、前記パッキンが分離しないように支持する離脱防止部材からなる密閉蓋と、を備える
ことを特徴とするパッキンを具備した密閉容器蓋。
【請求項２】
前記パッキンが、
下端部中央に突起が構成され、前記密閉容器の上端部を支持する内側突起と、
前記内側突起の両側に構成されるか、または前記内側突起の内側に構成され、前記密閉容器の上端部に密着する外側突起と、
前記密閉蓋が一定方向に回転した時、前記内側突起と前記外側突起が前記密閉容器の上端部に密着することで、反り現象が発生する支持パネルと、を備える
請求項１に記載のパッキンを具備した密閉容器蓋。
【請求項３】
前記パッキンが、
低密度ポリエチレン（ＬＤＰＥ）、シリコン、ポリエチレンテレフタレート（ＰＥＴ）、ポリプロピレン（ＰＰ）のいずれかで形成される
【請求項４】
前記パッキンが、
前記密閉容器内に単独で構成される
請求項１ないし３のいずれかに記載のパッキンを具備した密閉容器蓋。
【発明の詳細な説明】
【技術分野】
【０００１】
本発明は、パッキンを具備した密閉容器蓋に関する。詳細には、密閉容器を効果的に密閉するために密閉蓋にパッキンを挿入できる挿入溝を構成し、その挿入溝にパッキンを挿入することで密閉容器が一定方向に回転した時、パッキンが密閉容器の上端部材に外圧を加えると同時に、支持パネルの外側への反りが発生して完全密閉されるパッキンを具備した密閉容器蓋に関する。
【背景技術】
【０００２】
一般的に、飲料、水、食品を入れたすべての容器は、一定方向に回転を加えて開放または密閉されるように構成される密閉容器を使用している。
【０００３】
特に、飲料、食品を入れた密閉容器は完全密閉されなければならないが、香りや炭酸、または食品の臭いが微細に漏れる場合が発生し、長期化するほど食品が傷んだり、気の抜けた飲料を飲まなければならない場合が発生したりした。
【０００４】
このため、特許文献１には、容器の口部に蓋をねじ式結合した状態で機密を維持できるように構成された密閉容器において、容器の口部内周縁に沿って環状に形成された段差および段差に対応する蓋の内側に環状に突出した状態で、その外周面が弾性力によって段差の先端と緊密に密着するように形成された弾性リブを構成してなることを特徴とする密閉容器が開示されている。
【０００５】
しかし、弾性リブは使用する時間が長期化するにつれ、容器の内側に反り現象が発生する場合があり、または、段差と弾性リブの密着地点が凹むと、容器の段差に緊密に密着せずに完全密閉の機能を果たすのが難しい問題点があった。
【先行技術文献】
【特許文献】
【０００６】
【特許文献１】大韓民国公開特許第２００７−００９３７５８号
【発明の概要】
【発明が解決しようとする課題】
【０００７】
そこで、本発明は、密閉容器を効果的に密閉するために密閉蓋にパッキンを挿入することができる挿入溝を構成し、その挿入溝にパッキンを挿入することで密閉容器が一定方向に回転した時、パッキンが密閉容器の上端部材に外圧を加えると同時に、支持パネルの外側への反りが発生して完全密閉されるパッキンを具備した密閉容器蓋を提供することを課題とする。
【０００８】
また、本発明は、パッキンの特定の材料により、所定の弾性力を提供してパッキンが一定以上反るように構成するパッキンを具備した密閉容器蓋を提供することを課題とする。
【０００９】
また、本発明は、一つの内側突起と一つ以上の外側突起を構成して密閉容器を完全密閉するように構成されたパッキンを具備した密閉容器蓋を提供することを課題とする。
【課題を解決するための手段】
【００１０】
上記課題を解決するため、本発明は、パッキンを具備した密閉容器蓋において、飲料、食品などを入れて保管することができ、上端部で密閉蓋と締結することで密閉力を提供するように、螺旋状に突出する内側締結部材を具備した密閉容器、および前記密閉容器と締結され、所定の密閉力を提供し、前記内側締結部材と締結するように外周面で螺旋状に突出する外側締結部材と、前記密閉容器の上端部を密着して密閉力を提供するパッキンと、前記外側締結部材と一定間隔に構成され、前記パッキンが分離しないように支持の役割を果たす離脱防止部材からなる密閉蓋を含むことを特徴とする。
【００１１】
また、前記パッキンは、下端部中央に突起が構成され、前記密閉容器の上端部を支持する内側突起と、前記内側突起の両側に構成されるか、または前記内側突起の内側に構成されて前記密閉容器の上端部に密着する外側突起および前記密閉蓋が一定方向に回転した時、前記内側突起と前記外側突起が前記密閉容器の上端部に密着することで、反り現象が発生する支持パネルを含むことを特徴とする。
【００１２】
また、前記パッキンは、低密度ポリエチレン（ＬＤＰＥ）、シリコン、ポルリエチレンテレフタレート（ＰＥＴ），ポリプロピレン（ＰＰ）の材料で構成されるものを含むことを特徴とする。
【００１３】
また、前記パッキンは、前記密閉容器内に単独で構成することができるものを含むことを特徴とする。
【発明の効果】
【００１４】
本発明によれば、密閉容器を効果的に密閉するために密閉蓋にパッキンを挿入することができる挿入溝を構成し、その挿入溝にパッキンを挿入することで密閉容器が一定方向に回転した時、パッキンが密閉容器の上端部材に外圧を加えると同時に、支持パネルの外側への反りが発生して完全密閉することができる。
【００１５】
また、本発明は、パッキンを低密度ポリエチレン（ＬＤＰＥ）、シリコンで構成することで所定の弾性力を提供してパッキンが一定以上反るように構成することができる。
【００１６】
また、本発明は、一つの内側突起と一つ以上の外側突起を構成し、密閉容器を完全密閉するように構成することができる。
【図面の簡単な説明】
【００１７】
【図１】パッキンを具備した密閉容器蓋の第１実施例の密閉容器と密閉蓋の断面図
【図２】パッキンを具備した密閉容器蓋の第１実施例の密閉容器と密閉蓋の作動を示す断面説明図
【図３】パッキンを具備した密閉容器蓋の第１実施例の密閉蓋とパッキンの結合を示す断面説明図
【図４】パッキンを具備した密閉容器蓋の第２実施例の密閉容器と密閉蓋の断面図
【図５】パッキンを具備した密閉容器蓋の第３実施例の密閉容器と密閉蓋の断面図
【発明を実施するための形態】
【００１８】
以下、本発明の好ましい実施例を添付した図面によって詳細に説明する。なお、本明細書および請求範囲に使用した用語や単語は通常的、または辞書的な意味に限定されず、本発明の技術的思想に符合する意味と概念で解釈される。また、本明細書に記載された実施例と図面に図示された構成は、本発明の好ましい実施例に過ぎず、従来公知技術を援用して適宜設計変更可能である。
【００１９】
図１は、パッキンを具備した密閉容器蓋の第１実施例の密閉容器と密閉蓋の断面図、図２はパッキンを具備した密閉容器蓋の第１実施例の密閉容器と密閉蓋の作動断面図、図３はパッキンを具備した密閉容器蓋の第１実施例の密閉蓋とパッキンの結合図、図４はパッキンを具備した密閉容器蓋の第２実施例の密閉容器と密閉蓋の断面図、図５はパッキンを具備した密閉容器蓋の第３実施例の密閉容器と密閉蓋の断面図である。
【００２０】
パッキンを具備した密閉容器蓋の第１実施例では、図１ないし図３に図示したとおり、飲料、食品などを入れて保管することができる密閉容器（１００）と、密閉容器（１００）の上端部に締結することで密閉容器（１００）内にある飲料、食品などが傷んだり、または飲料の清涼感を維持できるように密閉力を提供する密閉蓋（２００）からなる。
【００２１】
密閉容器（１００）は飲料、食品などを入れることができるすべての容器を指し、上端部に密閉蓋（２００）が一定方向に回転すると、所定の密閉力を提供すると同時に、締結することができるように構成された内側締結部材（１１０）を具備する。
【００２２】
内側締結部材（１１０）は、密閉蓋（２００）の外側締結部材（２１０）と噛み合って締結される構造で、密閉蓋（２００）が一定の方向に回転をする場合、外側締結部材（２１０）が密閉容器（１００）の内側締結部材（１１０）を介して開放または閉鎖することができるように構成され、外側締結部材（２１０）と内側締結部材（１１０）が締結されて閉鎖した場合、所定の密閉力が提供されるように構成される。
【００２３】
密閉容器（１００）の上端部に具備された容器締結部（１３０）は、後述するパッキン（２７０）と結合して二重密閉となるように構成されたもので、締結部（１３０）の外周面には内側締結部材（１１０）が螺旋に続いて構成される。
【００２４】
一方、密閉容器（１００）に締結されることにより、密閉容器（１００）内側に入った飲料、水、食品が傷ついたり、または飲料の清涼感を維持できるように密閉力を提供するように構成された密閉蓋（２００）は、密閉容器（１００）の容器締結部（１３０）の外周面に締結することができるように容器締結部（１３０）の外周面の直径と同じかまたは大きく構成される。
【００２５】
また、密閉蓋（２００）はポリエチレン（ＰＥ）またはポリプロピレン（ＰＰ）などの材料で構成され、人体に無害で、外圧からの圧力を受けて損傷が発生しないように構成されることが望ましい。
【００２６】
このような密閉蓋（２００）は、両側面に螺旋状で突起を構成することで密閉容器（１００）と締結することができるように構成された外側締結部材（２１０）と、外周面で一定間隔に離れて構成された離脱防止部材（２３０）と、外周面と離脱防止部材（２３０）の間に形成されて所定の溝が形成された挿入溝（２５０）と、挿入溝（２５０）に挿入されて密閉容器（１００）と結合して密閉力を提供するパッキン（２７０）からなる。
【００２７】
密閉蓋（２００）の外周面に構成された外側締結部材（２１０）は、先に説明したように、密閉蓋（２００）が一定方向に回転すれば、密閉容器（１００）の内側締結部材（１１０）と噛み合って締結されることにより、密閉力を提供することができるように構成される。
【００２８】
密閉蓋（２００）の外周面で一定間隔に構成された離脱防止部材（２３０）は、後述するパッキン（２７０）が分離しないように支持する役割を果たすもので、密閉蓋（２００）の両側下端部に突起形態で構成され、パッキン（２７０）が容器締結部（１３０）にはめ込んで挿入された時、左側または右側に分離するか、またはパッキン（２７０）の突起（２７１、２７３）の一部が破損しないように固定するように構成される。
【００２９】
密閉蓋（２００）の外周面と離脱防止部材（２３０）の間に形成された挿入溝（２５０）は、離脱防止部材（２３０）が密閉蓋（２００）の下端部に一定の周囲として突起が形成されることにより、密閉蓋（２００）の外周面と、離脱防止部材（２３０）の間に形成された溝であり、パッキン（２７０）が挿入されて円滑に容器締結部（１３０）と結合することができるように支持する溝である。
【００３０】
挿入溝（２５０）内側に挿入されるパッキン（２７０）は、容器締結部（１３０）の上端部と結合することで密閉力を提供するもので、内側締結部材（１１０）と外側締結部材（２１０）が締結される１次密閉力と共に二重に密閉力を提供することができるように構成された装置である。
【００３１】
また、パッキン（２７０）は加工性に優れた低密度ポリエチレン（ＬＤＰＥ）、シリコン、ポリエチレンテレフタレート（ＰＥＴ）、ポリプロピレン（ＰＰ）の材料で構成することができるが、これに限定されるものではなく、加工性、弾性力に優れた材質で構成されるのは、もちろんである。
【００３２】
このようなパッキン（２７０）は、中央に突起が構成されている内側突起（２７１）と、内側突起（２７１）の外周面に構成されて容器締結部（１３０）の内、外周面を支持する外側突起（２７３）と、内側突起（２７１）と、外側突起（２７３）の上端部に構成され、一定の圧力を受けた場合、所定の弾性力を利用して外側に反る現象が発生する支持パネル（２７５）からなる。
【００３３】
パッキン（２７０）の中央に突起が構成された内側突起（２７１）は、密閉蓋（２００）が一定方向に回転することによって、所定の圧力を受けた場合、容器締結部（１３０）で支持することで所定の密閉力を提供することができるように構成されたものである。
【００３４】
また、内側突起（２７１）は、パッキン（２７０）の真ん中に構成され、対称をなすように構成することで、容器締結部（１３０）で支持される場合、どちらか一方に偏らないように構成される。
【００３５】
内側突起（２７１）を中心に両側面に構成される外側突起（２７３）は、密閉容器（１００）の内周面および外周面と結合することで密閉力を提供するもので、さらに詳細には容器締結部（１３０）の内周面と外周面に固定することで密閉力を二重に提供するために構成されたものである。
【００３６】
つまり、外側突起（２７３）は密閉蓋（２００）が一定方向に回転することにより、一定以上の圧力を受けると、容器締結部（１３０）の内周面と外周面を圧迫密着するようになり、外側突起（２７３）が容器締結部（１３０）を圧迫密着すると、密閉容器（１００）の内側に密閉力を提供するように構成され、内側締結部材（１１０）と、外側締結部材（２１０）の締結と、外側突起（２７３）と容器締結部（１３０）の結合によって、二重密閉力を提供する。
【００３７】
また、外側突起（２７３）は内側突起（２７１）より大きく突出するように構成することで、パッキン（２７０）が一定以上の圧力を受けなくても容器締結部（１３０）と密着することができるように構成されることが望ましいが、これに限定するものではなく、内側突起（２７１）より小さく突出して構成することができ、または、内側突起（２７１）と同一に突出して構成されることはもちろんである。
【００３８】
内側突起（２７１）と外側突起（２７３）の上端部に構成された支持パネル（２７５）は、密閉蓋（２００）が一定方向に回転してパッキン（２７０）に圧力を加えた場合、パッキン（２７０）の中心部分が圧力を受け、外側突起（２７３）が容器締結部（１３０）に密着すると同時に、支持パネル（２７５）が外側に反る現象が発生することで、パッキン（２７０）が所定の弾性力を長時間の間、円滑に維持することができるように構成されたものである。
【００３９】
パッキンを具備した密閉容器蓋の第２実施例では、図４に図示された通り、密閉蓋（２００）の両側面に挿入溝（２５０）が構成され、挿入溝（２５０）の下端部にパッキン（２７０）が構成されて二重密閉を提供するもので、パッキン（２７０）が密閉蓋（２００）内側に構成されて一定以上の圧力を受けても分離する恐れが少なく、加工が容易な長所があった。
【００４０】
ここで、第２実施例のパッキン（２７０）は、ポリエチレン（ＰＰ）、低密度ポリエチレン（ＬＤＰＥ），シリコン、ポリエチレンテレフタレート（ＰＥＴ）、ポリプロピレン（ＰＰ）から選択して構成することができ、本実施例ではシリコンで構成される。
【００４１】
パッキンを具備した密閉容器蓋の第３実施例では、図５に図示されたとおり、パッキン（２７０）の内側突起（２７１）と密閉容器（１００）の内側を密着することで密閉力を提供する外側突起（２７３）が構成されることにより、パッキン（２７０）に所定の密閉力を提供するように構成されたもので、一つの内側突起（２７１）と一つの外側突起（２７３）で構成され、パッキン（２７０）が第１実施例のパッキン（２７０）より容器締結部（１３０）に結合がさらに円滑に密着結合するように構成される。
【００４２】
ここで、内側突起（２７１）は密閉蓋（２００）が一定方向に回転し、密閉容器（１００）を閉鎖することによって、一定以上の圧力を受ける場合、容器締結部（１３０）で支持することで外側突起（２７３）が円滑に容器締結部（１３０）と密着できるように構成されることが望ましい。
【符号の説明】
【００４３】
１００：密閉容器
１１０：内側締結部材
１３０：容器締結部
２００：密閉蓋
２１０：外側締結部材
２３０：離脱防止部材
２５０：挿入溝
２７０：パッキン
２７１：内側突起
２７３：外側突起
２７５：支持パネル
【図１】
2017043412.tif 000003
【図２】
2017043412.tif 000004
【図３】
2017043412.tif 000005
【図４】
2017043412.tif 000006
【図５】
2017043412.tif 000007